(57)【要約】【課題】かつらは装着や整髪するのに手間がかかるのが多く、簡単に脱着できるものは外れやすく不安が多かった。そして、突然の来客や外出先での汗や痒みなども処理しにくく苦痛になることも多かった。これらを素早いかつら脱着による処理、またかつら装着したままの痒み処置、最低これらを解決するために装着時間、装着感など使いやすさを考えたネット地エッジ形状構造の脱着簡単かつらを提供する。【解決手段】本考案は、かつらベース本体１にネット地２を設け、さらにネット地の構造をエッジ形状構造３にすることで、かつらの脱着も簡単に行えるようにした。また、かつらの前方部にかつらの固定を強化する為の両面テープやヘアピンなどを設ける設置ベース４を設け固定力を増やしてかつらベース本体１を外れにくくした。  それと、かつらのネット地の網目形状を長方形形状網目８にすることにより、かつら装着したままでも痒み等の応急処置を出来るようにした。【選択図】図１
2011256512.tif 000002
【特許請求の範囲】
【請求項１】
かつらベース本体１を、短髪（坊主や刈り上げなど）にした髪の毛にかつらベースを引っかけ自然固定することを目的としたネット地２を設けるかつらベース。
本考案は、今までの通気性や軽さなどを考えて考案され作られたネット式かつらベースとは目的が異なるものとし、本考案（請求項１，２，３）以外のかつらベースはこの本考案と同じ目的として作られ真似ることは出来ないのもとする。
【請求項２】
かつらベース本体１にネット地２を設け、ネット地２に設けたネット地横ライン６に頭頂部に向かう斜方向のエッジ形状構造３（図５）を設けたかつらベース。
【請求項３】
かつらベース本体１に設けたネット地２の網目の形状は、ネット地横ライン６の間隔が狭くネット地縦ライン５は広い間隔とした長方形形状網目８とする請求項２のかつらベース。
【発明の詳細な説明】
【技術分野】
【０００１】  この技術は、薄毛で悩む方やファッション感覚で自分を飾りたい方などが簡単に煩わしさを感じさせることなく使用できるかつらです。
【背景技術】
【０００２】  今までのかつらは脱着には固定器具や接着剤にすべて頼るものが多く、脱着に手間がかかる割には外れやすく不安も多かった。そして付けっぱなしの外されないかつらは不衛生で痒みなどが起こり不快である。通気性を良くし汗痒みを比較的起こりにくいネット状のかつらでも、頭皮が透けて見えないようにネットの網目は小さくなっており痒みがあってもかつらを装着したままでは十分な処置を望めないものが多かった。
脱着に時間のかからない脱着が簡単な物においてはさらに外れやすいと言う不安も多く、いくら汗や痒みの処置がしやすくてもかつらが外れた事を思うと不安になり、そのストレスはかなりのものと言える。
そして、今までかつらを固定器具及び接着剤などで固定する場合、前頭部、側頭部、後頭部とピンポイントに多くの場所を固定しなければ安定した固定は望めないものが多かったことも頭皮に負担になり、装着感の悪さなど使用者にはストレスとなりやすかった。
【発明の概要】
【発明が解決しようとする課題】
【０００３】  今まで多くのかつらは装着する課程でかつらの脱着や整髪に手間がかかり、突然の来客時や外出先ではいざと言う時に不安をかかえ、精神的に苦痛であり問題点も多かった。
それと、固定器具及び接着剤などで固定すると前頭部はその割に気になりにくいが、側頭部や後頭部と言うのは装着部が痛く感じやすく不快になりやすいかつらが多かった。
また、かつらを使用している人は洗髪しないと数日で地毛がベタつき、かつらとの境が不自然になりやすい事もあり外泊にも気遣いすることがある（ホテルなど１人で過ごせるなら別）。そして、安心感はあるが固定して外せないものは不衛生で不快である。そのままシャンプー出来るものもあるが不快感は拭えないものが多い。また装着したまま痒みの処理にも、皮膚に指が届きにくいかつらが多くストレスとなりやすかった。唯一ネット地のかつらは、指が直接頭皮に届くが網目が大きすぎると透けて頭皮が見えてしまう。網目が小さいと頭皮に指が届きにくいので、網目が大きくても透けて見えにくいと都合が良い。
【課題を解決するための手段】
【０００４】  本考案は、かつらベース本体が短髪（刈り上げや坊主など）にした髪の毛全体にひっかかり易くするためにネット地（網状）を設け、そのネット地の構造をエッジ形状構造にすることによって、ずれにくく簡単でしかも敏速にかつらを脱着させることが出来るようになる。また、かつらが外れる不安を少なくする為かつらベースには両面テープやヘアピンなど設けておく設置ベースを設け使用する事で、かつらが外れにくく安心感も増すようになる。このように、本考案は短髪の地毛が勝手にかつらベースのネット地に引っかかるだけなので脱着が簡単である。また、いざと言う時はヘアピンや両面テープなどがなくてもエッジ部分だけで装着固定はされるので、不意の来客などでも素早い応急対応はすぐにできる。
それに、本考案はかつらの前部を除いた固定部位のほとんどが自毛にかつらベース本体が自然にひっかかり、それのみで固定されていることで成り立っていて、固定器具や両面テープなどの固定は前頭部のみなので装着した不快感はかなり軽減される。
また、ネット地の網目も長方形形状にすることにより、網目が大きい割には頭皮がかつらから透けてみえにくくした。
【発明の効果】
【０００５】  簡単に脱着が出来ることにより自宅では不意の来客時にもすぐ装着できるので安心でき、なおかつ外出先では簡単に脱着できることにより汗や痒みなどは誰もいない場所、例えばトイレの個室などで汗や痒みの処理を短時間でしやすくなるので精神的に楽に過ごせるようになる。外出中でも使用者は短髪（坊主など）なのでトイレのようなプライバシーが守れる所があれば、容易に頭皮と頭髪を清潔にできる（水洗いや濡れたタオルで拭くなど）。それに誰かと同室での外泊中でも、風呂場で簡単にかつらを外して頭を洗って、またすぐかつらをその場で装着出来るのでプライバシーの守れない外泊中の不便さも解消できる。また、ネット地の網目が大きい為、痒い時などかつら装着したままでもかつらの上から直接頭皮を容易に掻くとこができる。
【図面の簡単な説明】
【０００６】
【図１】本考案の斜面図
【図２】本考案の前面図
【図３】本考案の後面図
【図４】本考案の側面図とネット地２の拡大図
【図５】本考案の頭部と頭皮にベースが着くネット地横ライン６のエッジ構造部３の断面図。
【発明を実施するための形態】
【０００７】  本考案を三次元的に一番表現している図１で説明をすれば、本考案のかつらベース本体１はネット地２（網状）で頭部全体に帽子の様にかぶるタイプである。かつらベース本体１のネット地２の構造は、図５のように頭皮に頭頂方向へ斜角に向かうエッジ構造３にすることでより頭皮や髪の毛に引っかかり易くなり頭部に固定されずれにくくなる。
しかし、これだけでは激しい動きに耐えるのには不安が残る。薄毛の人で前頭部の髪が薄くなりやすい人や刈り上げで前頭部の髪の毛が長い人は、エッジ構造のネット地に前頭部の髪が引っかかりにくく安定感も十分ではない。ネット地２のエッジ形状構造３に髪が引っかからずその固定力を補うため、両面テープやヘアピンなどを設けるための設置ベース４を設け固定力を強めることで安心して使用できる。それに、人の頭は後頭部に対して前頭部が狭く形態的にもかつらがずれやすい形をしているので、強い力でかつらが引っぱられたりするなど、もしもの事を考えれば前頭部の固定力強化は必要になる。
【０００８】  この自毛を利用したかつらベース本体１の固定には、頭部の形にかつらベース本体１をフィットさせることも重要である。頭部とかつらベース本体に隙間があれば、自毛にネット地がうまく引っかからず外れやすくなる。そこでネット地の伸縮縦ライン５と伸縮部７にはゴムなどの伸縮性材質を用いて多少のサイズの違いに対応できるようにした。
【０００９】  本考案のかつらベース本体１のネット地２の形状は、ネット地伸縮縦ライン５の間隔を広く、そしてネット地の網目横ライン６の間隔を狭くして長方形形状網目８する事により、網目の大きさが大きい割にかつらから頭皮が透けて見えにくいメリットが出来る。そのことにより、痒みなどの処理をネット地の網目に指を入れて手軽に出来るようになる。そして、場合によってはかつら装着のままシャンプーをすることも、使用者には容易に感じる事も可能になる。
【００１０】  装着方法は網状かつらベース本体１の設置ベース４に、坊主および前頭部が薄毛の場合は両面テープ、刈り上げで前頭部の髪の毛が長い人はヘアピンを網状かつらベース本体１の設置ベース４に取り付けた状態でかつらをかぶり、網状かつらがベース後頭部の髪の毛に引っかかる状態を確認したら、手で軽く網状かつらベース本体１の前部を前方に引っぱりながら両面テープの場合前頭部にくっつける様に押しつける。また、その逆で前頭部にかつらベース本体１の前部を合わせ付けた後に、かつらベース本体１の後部を手で後方に軽く引っぱりかつらベース本体１を髪の毛に引っかけるように装着する。あとはかつらベース本体１の側頭部の髪に引っかかるようにかつらベース本体を固定し好みの髪形に整髪する。
本考案のかつらの装着時間は両面テープ付け替え時間を入れればおよそ１分程だが、両面テープは２、３度そのまま使えるので交換しなければ早くて１０秒くらいで装着できる。装着時間、装着感など使いやすさを含め使用者のストレスはかなり軽減される。
【符号の説明】
【００１１】１かつらベース本体
２ネット地
３エッジ形状構造
４設置ベース
５ネット地伸縮縦ライン
６ネット地横ライン
７伸縮部
８長方形形状網目
【図１】
2011256512.tif 000003
【図２】
2011256512.tif 000004
【図３】
2011256512.tif 000005
【図４】
2011256512.tif 000006
【図５】
2011256512.tif 000007